(57)【要約】【課題】洗濯時に要求される作業や手間を簡便にする洗濯ネットを提供する。【解決手段】洗濯ネット１０は、折畳み可能な矩形状のメッシュシート１１により構成され、メッシュシート１１は、広げられた状態でワイシャツＷＳ１が載置されるベースシート１２と、ベースシート１２の縦方向の一端側部に繋がって設けられ、ベースシート１２上に折り畳まれるカバーシート１３とを備える。ベースシート１２の縦方向の他端側部は、折り畳まれたカバーシート１３上に重ねられるように２回折り返されて残りのベースシート１２上に折り畳まれる。折り畳まれた状態のときのベースシート１２の横方向の対向する両端辺縁部に、メッシュシート１１がワイシャツＷＳ１と共に筒状となるように、この両端辺縁部同士を止着する一対の第２ファスナー部１６Ａ，１６Ｂを備える。【選択図】図１０
2018148996.tif 000002
【特許請求の範囲】
【請求項１】
折畳み可能な矩形状のメッシュシートを備えた洗濯ネットであって、
前記メッシュシートは、
広げられた状態で洗濯物が載置されるベース部と、
前記ベース部の縦方向の一端側部に繋がって設けられ、前記ベース部の少なくとも一部を覆うように前記ベース部上に折り畳まれる第１折畳み部とを備え、
前記ベース部の縦方向の他端側部は、折り畳まれた前記第１折畳み部に重ねられるように前記縦方向の他端側から一端側へ折り返されて残りの前記ベース部上に折り畳まれる第２折畳み部を形成し、
前記第１折畳み部が前記ベース部上に折り畳まれ、かつ前記第２折畳み部が前記残りのベース部上に折り畳まれた状態のときの前記ベース部の横方向の対向する両端辺縁部に、前記メッシュシートが前記洗濯物と共に筒状となるように、前記両端辺縁部同士を止着する止着部材が設けられていることを特徴とする洗濯ネット。
【請求項２】
前記第１折畳み部が前記ベース部上に折り畳まれ、かつ前記第２折畳み部が前記残りのベース部上に折り畳まれた状態のときの前記第１折畳み部および前記第２折畳み部を、互いに重ねられた状態で保持する保持部材を備えていることを特徴とする請求項１に記載の洗濯ネット。
【請求項３】
前記止着部材は、前記ベース部の前記両端辺縁部の、最上層部同士及び最下層部同士をそれぞれ止着可能に構成されていることを特徴とする請求項１もしくは２に記載の洗濯ネット。
【発明の詳細な説明】
【技術分野】
【０００１】
本発明は、衣類等を入れて洗濯するための洗濯ネットに関する。
【背景技術】
【０００２】
このような衣類等の洗濯ネットとしては、ファスナー等により開閉可能な袋状に形成されたものが一般的に知られている。例えば、浴衣等の着物を折り畳んだ状態で収納する着物用の洗濯ネット（例えば、特許文献１，２を参照）や、ワイシャツやブラウスのように皺になり易い衣類を丸めた状態で収納するように構成された襟付きシャツ用の洗濯ネット（例えば、特許文献３を参照）などが提案されている。
【先行技術文献】
【特許文献】
【０００３】
【特許文献１】特許第４７１６９１５号公報
【特許文献２】実用新案登録第３２０２８８０号公報
【特許文献３】特許第４７１１２７０号公報
【発明の概要】
【発明が解決しようとする課題】
【０００４】
一般的な洗濯ネットは、衣類等の洗濯物が丸められた状態で入れられるのが一般的であり、洗濯物を入れ易く洗濯物の汚れ落ちも比較的良いものの、ワイシャツなどの衣類を洗濯すると皺になり易いという問題がある。着物用や襟付きシャツ用の洗濯ネットは、収納した衣類が皺になり難いものの構成が複雑であり、また、衣類の入れ易さや衣類の汚れ落ちの面で難がある。
【０００５】
本発明の一態様による洗濯ネットはこのような事情に鑑みてなされたものであり、洗濯時に要求される作業や手間を簡便にするものであり、例えば、洗濯ネットへの洗濯物の出し入れを容易にし、 更に汚れ落ち等の洗浄力をサポートしつつ、衣類に代表される洗濯
物に皺が付き難くし、洗濯後に洗濯物を畳む作業の手間を簡略化（例えばアイロンがけを省略）する洗濯ネットが提供される。
【課題を解決するための手段】
【０００６】
本発明に係る洗濯ネットは、折畳み可能な矩形状のメッシュシートを備えた洗濯ネットであって、前記メッシュシートは、広げられた状態で洗濯物が載置されるベース部（例えば、第１実施形態におけるベースシート１２）と、前記ベース部の縦方向の一端側部に繋がって設けられ、前記ベース部の少なくとも一部を覆うように前記ベース部上に折り畳まれる第１折畳み部（例えば、第１実施形態におけるカバーシート１３）とを備え、前記ベース部の縦方向の他端側部は、折り畳まれた前記第１折畳み部に重ねられるように前記縦方向の他端側から一端側へ折り返されて残りの前記ベース部上に折り畳まれる第２折畳み部（例えば、第１実施形態におけるベース折畳み部１２Ｂ及びベース基部第２領域１２Ａｂ）を形成し、前記第１折畳み部が前記ベース部上に折り畳まれ、かつ前記第２折畳み部が前記残りのベース部（例えば、第１実施形態におけるベース基部第１領域１２Ａａ）上に折り畳まれた状態のときの前記ベース部の横方向の対向する両端辺縁部に、前記メッシュシートが前記洗濯物と共に筒状となるように、前記両端辺縁部同士を止着する止着部材（例えば、第１実施形態における第２ファスナー部１６Ａ，１６Ｂ）が設けられて提供される。
【０００７】
上記構成の洗濯ネットにおいて、前記第１折畳み部が前記ベース部上に折り畳まれ、か
つ前記第２折畳み部が前記残りのベース部上に折り畳まれた状態のときの前記第１折畳み部および前記第２折畳み部を、互いに重ねられた状態で保持する保持部材（例えば、第１実施形態における第１ファスナー部１５Ａ，１５Ｂ）を備えていることが好ましい。
【０００８】
上記構成の洗濯ネットにおいて、前記止着部材は、前記ベース部の前記両端辺縁部の、最上層部同士及び最下層部同士をそれぞれ止着可能に構成されていることが好ましい。
【発明の効果】
【０００９】
本発明に係る洗濯ネットによれば、折畳み可能な矩形状のメッシュシートを備え、そのメッシュシートは、広げられた状態で洗濯物が載置されるベース部と、ベース部の縦方向の一端側部に繋がって設けられ、ベース部の少なくとも一部を覆うようにベース部上に折り畳まれる第１折畳み部とを有し、ベース部の縦方向の他端側部は、折り畳まれた第１折畳み部に重ねられるように縦方向の他端側から一端側へ折り返されて残りのベース部上に折り畳まれる第２折畳み部を形成し、第１折畳み部がベース部上に折り畳まれ、かつ第２折畳み部が残りのベース部上に折り畳まれた状態のときのベース部の横方向の対向する両端辺縁部に、メッシュシートが洗濯物と共に筒状となるように、この両端辺縁部同士を止着する止着部材を備えて構成される。
【００１０】
また、洗濯ネットへの洗濯物の収納は、メッシュシートを広げた状態でベース部に洗濯物を載置し、その後、第１折畳み部を、ベース部の少なくとも一部を覆うようにベース部上に折り畳み、ベース部の縦方向の他端側部を、折り畳まれた第１折畳み部に重ねるように縦方向の他端側から一端側へ折り返して残りのベース部上に折り畳み、止着部材によりベース部の横方向の対向する両端辺縁部を止着することによって行うことができる。このため、メッシュシートと一緒に、洗濯物を少ない手順で折り畳みながら洗濯ネット内に収納することができるので、洗濯物を収納し易く（洗濯物を洗濯ネットから取り出すことも容易）、洗濯しても洗濯物に皺が付き難い。このため、洗濯後のアイロンがけ等の作業を簡略化することができる。また、止着部材によりベース部の横方向の対向する両端辺縁部を止着することによって、洗濯ネットをコンパクトに折り畳んだ状態に保持することができるので嵩張らず、そのため洗濯機内で他の洗濯物と絡まり難い。さらに、止着部材によりベース部の横方向の対向する両端辺縁部を、メッシュシートが洗濯物と共に筒状となるように止着することによって、洗濯ネットの内側に洗濯時の水流が通る空間部が形成されるので、洗濯時の水流が衣類等の洗濯物に触れ易くなって洗濯時の汚れ落ちも良くなる。
【００１１】
上記の本発明に係る洗濯ネットにおいて、第１折畳み部がベース部上に折り畳まれ、かつ第２折畳み部が残りのベース部上に折り畳まれた状態のときの第１折畳み部および第２折畳み部を、互いに重ねられた状態で保持する保持部材を備えた構成とすることが好ましい。このような構成とすれば、保持部材によって、第１折畳み部と第２折畳み部とが互いに重ねられた状態で保持されるので、洗濯時に洗濯ネットの折り畳み状態が崩れて洗濯物が外に飛び出てしまうことを抑制することが可能となる。
【００１２】
また、上記の本発明に係る洗濯ネットにおいて、止着部材は、ベース部の両端辺縁部の、最上層部同士及び最下層部同士をそれぞれ止着可能な構成とすることが好ましい。このような構成とすれば、最下層部同士または最上層部同士の一方のみを止着する場合に比べて、洗濯時に洗濯ネットから洗濯物が飛び出てしまうことを、より確実に防止することが可能となる。
【図面の簡単な説明】
【００１３】
【図１】本発明の第１実施形態に係る洗濯ネットを広げた状態で前面側から見た図である。
【図２】上記第１実施形態に係る洗濯ネットを広げた状態で後面側から見た図である。
【図３】上記第１実施形態に係る洗濯ネットのカバーシート折り畳み状態を示す図である。
【図４】上記第１実施形態に係る洗濯ネットのベースシート１回目の折り返し状態を示す図である。
【図５】上記第１実施形態に係る洗濯ネットのベースシート２回目の折り返し状態を示す図である。
【図６】上記第１実施形態に係る洗濯ネットの第１ファスナー部結合状態を示す図である。
【図７】上記第１ファスナー部結合状態にある洗濯ネットのメッシュシートが横方向に筒状に丸められた状態を示す斜視図である。
【図８】上記第１ファスナー部結合状態にある洗濯ネットのメッシュシートの横方向の両端辺縁部同士が止着される途中の状態を示す斜視図である。
【図９】上記第１実施形態に係る洗濯ネットの折畳み完了状態を示す図である。
【図１０】上記第１実施形態に係る洗濯ネットにワイシャツを収納する際の手順を示す模式図である。
【図１１】本発明の第２実施形態に係る洗濯ネットを広げた状態で前面側から見た図である。
【図１２】上記第２実施形態に係る洗濯ネットのカバーシート折り畳み状態を示す図である。
【図１３】上記第２実施形態に係る洗濯ネットのベース折畳み部折り畳み状態を示す図である。
【図１４】上記第２実施形態に係る洗濯ネットの折畳み完了状態を示す図である。
【図１５】上記第２実施形態に係る洗濯ネットにおいて、ベース折畳み部の先端部を保持ポケット内に差し入れる際の手順を示す模式図である。
【図１６】上記第２実施形態に係る洗濯ネットの折畳み完了状態を示す斜視図である。
【図１７】上記第２実施形態に係る洗濯ネットにワイシャツを収納する際の手順を示す模式図である。
【発明を実施するための形態】
【００１４】
以下、上記図面を用いて本発明の実施形態について説明する。まず、第１実施形態に係る洗濯ネット１０（ここでは主に衣類用の洗濯ネットとして説明する）の構成について、図１〜図９を参照しながら説明する。図１には、洗濯ネット１０の前面（衣類等の洗濯物が載置される面）が紙面手前側を向くようにして洗濯ネット１０を広げた状態で示しており、図２には、洗濯ネット１０の後面（衣類等の洗濯物が載置される面の裏側の面）が紙面手前側を向くようにして洗濯ネット１０を広げた状態で示している。
【００１５】
図１に示す洗濯ネット１０は、例えばポリエステル製のメッシュ生地により矩形状に形成され、周囲各辺縁部が縁取り布１４により補強されたメッシュシート１１を主体に構成されている。このメッシュシート１１は、衣類等の洗濯物が載置される台形状のベースシート１２と、ベースシート１２の図中上端側に縫着された台形状のカバーシート１３とを備えてなる。詳細には、ベースシート１２は、その図中上端側（カバーシート１３が設けられた側）から下端側に向かって、自身の幅（横方向の長さ）が徐々に短くなるように形成されており、カバーシート１３は、その基端側（ベースシート１２の側）から先端側に向かって、自身の幅（横方向の長さ）が徐々に短くなるように形成されている。また、カバーシート１３は、ベースシート１２よりも全体的に幅が短く形成されている。
【００１６】
図２に示すように、ベースシート１２の上端辺縁部と、ベースシート１２の下端辺縁部からベースシート１２の縦方向の全体長の３分の１程度の距離（図中Ｌで示す距離）だけ
離れた位置とには、互いに結合・分離可能な一対の第１ファスナー部１５Ａ，１５Ｂ（テープ、エレメント（務歯）、スライダ等の構成要素により構成される、他のファスナーにおいて同様）が形成されている。以下、ベースシート１２の全領域を、一対の第１ファスナー部１５Ａ，１５Ｂにより挟まれた上側の領域と第１ファスナー部１５Ｂが設けられた位置よりも下側の領域とに分け、上側の領域をベース基部１２Ａ、下側の領域をベース折畳み部１２Ｂと称する。また、ベース基部１２Ａの全領域を、さらに上半分の領域と下半分の領域とに分け、上半分の領域をベース基部第１領域１２Ａａ、下半分の領域をベース基部第２領域１２Ａｂと称して説明を進める。図１〜図４中において、ベース基部第１領域１２Ａａとベース基部第２領域１２Ａｂとの仮想境界線を２点鎖線で示す。ベース基部１２Ａの横方向の両辺縁部には、互いに結合・分離可能な一対の第２ファスナー部１６Ａ，１６Ｂが形成されている。なお、第１ファスナー部１５Ａ，１５Ｂと第２ファスナー部１６Ａ，１６Ｂとでは、各々の構成要素（テープ、エレメント、スライダ等）を異なる色彩（例えば、第１ファスナー部１５Ａ，１５Ｂは青色、第２ファスナー部１６Ａ，１６Ｂは白色とするが、適宜変更可能）のもので構成しており、これにより、どちらのファスナー部であるのかを識別し易くしている。
【００１７】
図１に示すようにカバーシート１３は、ベースシート１２と比較して、縦方向の長さがベースシート１２の半分程度に形成されており、ベース基部１２Ａの上端辺縁部から中央部までを覆うように、ベース基部１２Ａ上に折り畳まれるように構成されている（図３を参照）。ベースシート１２は、カバーシート１３がベース基部１２Ａ上に折り畳まれた状態（以下「カバーシート折り畳み状態」と称する）において、下端側から上端側へ２回折り返されるように構成されている。１回目の折り返しは、ベース基部第２領域１２Ａｂとベース折畳み部１２Ｂとの境界部を折り位置として行われ、２回目の折り返しは、ベース基部第１領域１２Ａａとベース基部第２領域１２Ａｂとの境界部を折り位置として行われる。
【００１８】
すなわち、カバーシート折り畳み状態（図３を参照）において、ベース折畳み部１２Ｂが、折り畳まれたカバーシート１３の先端側の一部に重ねられるように（図４を参照）、ベース基部第２領域１２Ａｂとベース折畳み部１２Ｂとの境界部（第１ファスナー部１５Ｂが設けられた位置）を折り位置として、ベース基部１２Ａ（ベース基部第２領域１２Ａｂ）上に折り返されるように構成されている（１回目の折り返し）。また、カバーシート１３及びベース折畳み部１２Ｂがベース基部１２Ａ上に折り畳まれた状態（１回目の折り返しが行われた図４に示す状態、以下「ベースシート１回目の折り返し状態」と称する）において、カバーシート１３上にベース折畳み部１２Ｂが重ねられるように、ベース基部第２領域１２Ａｂが、ベース基部第１領域１２Ａａとベース基部第２領域１２Ａｂとの境界部を折り位置として、ベース基部第２領域１２Ａｂ上に折り返されるように構成されている（２回目の折り返し、図５を参照）。
【００１９】
ベース基部第２領域１２Ａｂがベース基部第１領域１２Ａａ上に折り返された状態（２回目の折り返しが行われた図５に示す状態、以下「ベースシート２回目の折り返し状態」と称する）においては、一対の第１ファスナー部１５Ａ，１５Ｂが互いに重なった状態となる。この状態において、一対の第１ファスナー部１５Ａ，１５Ｂが互いに結合され、ベース基部１２Ａの縦方向の両端辺縁部同士（図４において、第１ファスナー部１５Ａ，１５Ｂが形成された辺縁部同士）を止着するように構成されている。一対の第１ファスナー部１５Ａ，１５Ｂを互いに結合することにより、カバーシート１３とベース折畳み部１２Ｂとが、互いに重ねられた状態で保持されるように構成されている。
【００２０】
一対の第１ファスナー部１５Ａ，１５Ｂが互いに結合された状態（図６を参照、以下「第１ファスナー部結合状態」と称する）において、ベース基部１２Ａの横方向の両端辺縁部には、上述した一対の第２ファスナー部１６Ａ，１６Ｂが設けられている。詳細には図
６に示す状態において、一方の第２ファスナー部１６Ａは、ベース基部１２Ａの左辺縁部の、最下層部（ベース基部第１領域１２Ａａの左辺縁部）から最上層部（ベース基部第２領域１２Ａｂの左辺縁部）まで連続して設けられており、他方の第２ファスナー部１６Ｂは、ベース基部１２Ａの右辺縁部の、最下層部（ベース基部第１領域１２Ａａの右辺縁部）から最上層部（ベース基部第２領域１２Ａｂの右辺縁部）まで連続して設けられている。
【００２１】
一対の第２ファスナー部１６Ａ，１６Ｂは、図７に示すように、ベース基部第２領域１２Ａｂを内側にして、メッシュシート１１が横方向に筒状に丸められた状態で互いに結合され、ベース基部１２Ａの横方向の両端辺縁部の、最下層部同士（ベース基部第１領域１２Ａａの左右の辺縁部同士）及び最上層部同士（ベース基部第２領域１２Ａｂの左右の辺縁部同士）を連続的に止着するように構成されている。詳細には、一対の第２ファスナー部１６Ａ，１６Ｂは、図８に示すように、メッシュシート１１が筒状に丸められてベース基部１２Ａの横方向の両端辺縁部同士が突き合わされた状態において、まず、メッシュシート１１の外周側において互いに結合されて、ベース基部第１領域１２Ａａの左右の辺縁部同士を図中上端側から下端側に亘って止着し、次いで、図９に示すように、メッシュシート１１の内周側に回り込みながら互いに結合されて、ベース基部第２領域１２Ａｂの左右の辺縁部同士を図中下端側から上端側に亘って止着するように構成されている（まず内周側を止着し次に外周側を止着するように構成してもよい）。一対のファスナー部１６Ａ，１６Ｂを互いに結合することにより、ベース基部１２Ａの横方向の両端辺縁部同士を止着することができ、これにより、図９に示すように洗濯ネット１０をコンパクトに折り畳まれた状態（以下「折畳み完了状態」と称する）に保持することが可能となる。
【００２２】
図９に示すように、折畳み完了状態にあるときの洗濯ネット１０は偏平な筒形状をなし、その内側には空間部ＳＰ１が形成される。この空間部ＳＰ１は、洗濯時に水流の通路となり、洗濯ネット１０に収納された衣類等の洗濯物の洗濯時の汚れ落ちを良くすることに寄与する。また、上述したように、一対の第２ファスナー部１６Ａ，１６Ｂを互いに結合させるために、メッシュシート１１を筒状に丸める際には、ベース基部第２領域１２Ａｂを内側（ベース基部第１領域１２Ａａを外側）にして行うように構成されているが、これは、ベースシート１２（ベース基部１２Ａ）の構成と関連している。すなわち、洗濯ネット１０では、図１に示すように、ベースシート１２の幅（横方向の長さ）が、図中上端側（カバーシート１３が設けられた側）から下端側に向かって短くなるように形成されているので、ベース基部第１領域１２Ａａに比べて、ベース基部第２領域１２Ａｂの方が横方向の長さが全体的に短くなっている。このため、ベース基部第２領域１２Ａｂを内側にしてメッシュシート１１を筒状に丸めることによって、丸めた際に内周側に位置するベース基部第２領域１２Ａｂの布地にたるみが生じ難くなり、空間部ＳＰ１を確保し易くなるという利点がある。
【００２３】
次に、図１０を追加参照して、洗濯ネット１０に衣類（ここでは長袖のワイシャツＷＳ１を例示する）を収納する際の手順について説明する。
【００２４】
（Ａ１）洗濯ネット１０を広げ、ベースシート１２上にワイシャツＷＳ１を、前釦を止めて広げた状態（ここではワイシャツＷＳ１の襟側がカバーシート１３側となるようにしている）で載置する。なお、図示した例では、ワイシャツＷＳ１がベース基部１２Ａからベース折畳み部１２Ｂに亘って載置されているが、ワイシャツＷＳ１の長さ（丈）によっては、ワイシャツＷＳ１がベース基部１２Ａ上のみに載置されることもある。
【００２５】
（Ａ２）カバーシート１３を、ワイシャツＷＳ１の略上半分の部分に重ねる（ベース基部１２Ａとカバーシート１３とでワイシャツＷＳ１を挟む）ようにして、ベース基部１２Ａ上に折り畳む。
【００２６】
（Ａ３）ベースシート１２のベース折畳み部１２Ｂを、折り畳まれたカバーシート１３の先端部に重ねるように、ワイシャツＷＳ１の下端側の部分と一緒に、ベース基部１２Ａ上（詳細にはベース基部第２領域１２Ａｂ上。図３を参照）に折り返す（１回目の折り返し）。
【００２７】
（Ａ４）ワイシャツＷＳ１の両袖（カバーシート１３からはみ出た部分）をカバーシート１３上に折り畳む（これにより、洗濯時にワイシャツＷＳ１が洗濯ネット１０内でずれ難くなる）。なお、ワイシャツＷＳ１の身頃部分の幅がカバーシート１３の横方向の寸法よりも長いために、ワイシャツＷＳ１の身頃部分の左右両端部がカバーシート１３からはみ出る場合には、はみ出した部分をカバーシート１３上に折り畳むようにしてもよい。また、ワイシャツＷＳ１の両袖及び身頃部分の左右両端部の折畳みは、上記（Ａ２）の状態において行ってもよい。洗濯ネット１０では、カバーシート１３の幅がベースシート１２の幅よりも短く形成されているので、ワイシャツＷＳ１の両袖及び身頃部分の左右両端部をカバーシート１３上に折り畳むことによって、ワイシャツＷＳ１がベースシート１２からはみ出すことを防止することができる。
【００２８】
（Ａ５）ベース基部１２Ａを、折り畳まれたカバーシート１３及びベース折畳み部１２Ｂを内側にして、縦方向に２つ折りに折り返す。詳細には、図５に示すように、ベース基部第２領域１２Ａｂをベース基部第１領域１２Ａａ上に折り返す（２回目の折り返し）。この状態において、一対の第１ファスナー部１５Ａ，１５Ｂを互いに結合して、ベース基部１２Ａの縦方向の両端辺縁部同士を止着する。
【００２９】
（Ａ６）一対の第１ファスナー部１５Ａ，１５Ｂを互いに結合した状態（第１ファスナー部結合状態）において、ベース基部１２Ａを、ベース基部第２領域１２Ａｂを内側にして、横方向に２つ折りに折り畳む。
【００３０】
（Ａ７）ベース基部１２Ａの横方向の両端辺縁部同士が突き合わされるように、メッシュシート１１をワイシャツＷＳ１と共に横方向に筒状に丸める。
【００３１】
（Ａ８）ベース基部１２Ａの横方向の両端辺縁部同士が突き合わされた状態において、筒状に丸められたメッシュシート１１の外周側において、一対の第２ファスナー部１６Ａ，１６Ｂを互いに結合する。
【００３２】
（Ａ９）一対の第２ファスナー部１６Ａ，１６Ｂの結合を、メッシュシート１１の内周側に回り込みながら連続して行い、ベース基部１２Ａの横方向の両端辺縁部同士を全周に亘って止着し、洗濯ネット１０を折畳み完了状態に整える。ワイシャツＷＳ１を収納した状態で折畳み完了状態にされた洗濯ネット１０は、そのまま洗濯機に入れて洗濯することができる。
【００３３】
以上のように構成されて使用される洗濯ネット１０によれば、ワイシャツＷＳ１と一緒にメッシュシート１１を折り畳みながら、ワイシャツＷＳ１を収納することができるので、ワイシャツＷＳ１を洗濯ネット１０内に収納し易く、洗濯してもワイシャツＷＳ１が皺になり難い。このため、洗濯後のアイロンがけ等の作業を簡略化することができる。また、折畳み完了状態とされた洗濯ネット１０はとてもコンパクトなサイズとなるため嵩張らず、そのため洗濯機内で他の洗濯物と絡まり難い。さらに、折畳み完了状態にあるときに洗濯ネット１０の内側に形成される空間部ＳＰ１（図９を参照）により、洗濯時の水流がワイシャツＷＳ１に触れ易くなるので、洗濯時の汚れ落ちも良くなる。
【００３４】
また、ベースシート２回目の折り返し状態において、一対の第１ファスナー部１５Ａ，
１５Ｂが互いに結合されることによって、カバーシート１３とベース折畳み部１２Ｂとが互いに重ねられた状態で保持されるので、洗濯時に洗濯ネット１０の折り畳み状態が崩れてワイシャツＷＳ１が外に飛び出てしまうことを抑制し得るようになっている。さらに、一対の第２ファスナー部１６Ａ，１６Ｂは、ベース基部１２Ａの横方向の両端辺縁部の、最下層部同士（ベース基部第１領域１２Ａａの左右の辺縁部同士）及び最上層部同士（ベース基部第２領域１２Ａｂの左右の辺縁部同士）をそれぞれ止着するように構成されている。このため、最下層部同士または最上層部同士の一方のみを止着する場合に比べて、洗濯時に洗濯ネット１０からワイシャツＷＳ１が飛び出てしまうことを、より確実に防止することが可能である。
【００３５】
なお、本実施形態では、一対の第１ファスナー部１５Ａ，１５Ｂによって、カバーシート１３とベース折畳み部１２Ｂとが互いに重ねられた状態で保持するようにしているが、カバーシート１３側とベース折畳み部１２Ｂ側とに一対のスナップボタンや結び紐等（複数組設けてもよい）を保持部材として設け、これらにより両者１３，１２Ｂを互いに止着することによって、両者１３，１２Ｂが互いに重ねられた状態で保持するようにしてもよい。また、本実施形態では、ベース基部１２Ａの横方向の両端辺縁部に設けた一対のファスナー部１６Ａ，１６Ｂにより、両端辺縁部同士を止着するようにしているが、両端辺縁部に一対のスナップボタンや結び紐等（複数組設けてもよい）を止着部として設け、これらにより両端辺縁部同士を止着するようにしてもよい。
【００３６】
また、本実施形態では、カバーシート１３の幅（横方向の長さ）が、ベースシート１２の幅よりも全体的に短く形成され、かつ、基端側（ベースシート１２の側）から先端側に向かって、自身の幅（横方向の長さ）が徐々に短くなるように形成されている。基端側から先端側に向かって、カバーシート１３の幅を徐々に短くしているのは、ベースシート１２の幅が、上端側（カバーシート１３が設けられた側）から下端側に向かって徐々に短くなるように形成されていることに対応させたものであり、これにより、ベースシート１２の幅が短くなっている部分においても、ワイシャツＷＳ１の身頃部分の左右両端部等をカバーシート１３上に確実に折り畳むことが可能となっている。一方、カバーシート１３の幅をベースシート１２の幅と同等に形成することや、カバーシート１３の幅を、その基端側から先端側に向かって徐々に長くなるように形成すること、あるいは基端側から先端側に亘って、カバーシート１３の幅が一定となるように形成することも可能である。
【００３７】
また、本実施形態では、一対の第１ファスナー部１５Ａ，１５Ｂが互いに結合された状態において、メッシュシート１１が、ベース基部第２領域１２Ａｂを内側して、横方向に筒状に丸められるように構成されているが、ベース基部第１領域１２Ａａを内側して、メッシュシート１１を筒状に丸めるように構成してもよい。この場合、内側に位置することとなるベース基部第１領域１２Ａａの幅（横方向の長さ）が、外側に位置することとなるベース基部第２領域１２Ａｂの幅よりも短くなるように構成することが好ましい。また、本実施形態では、ベースシート１２の幅が、上端側（カバーシート１３が設けられた側）から下端側に向かって徐々に短くなるように形成されているが、ベースシート１２の幅が、上端側から下端側に亘って一定となるように形成したり、上端側から下端側に向かって徐々に長くなるように形成したりすることも可能である。さらには、ベース基部第１領域１２Ａａからベース基部第２領域１２Ａｂにかけては、ベースシート１２の幅が徐々に短く（あるいは長く）なるように形成し、ベース折畳み部１２Ｂについては幅が一定となるように形成してもよい。また、ベース基部第１領域１２Ａａとベース基部第２領域１２Ａｂとの境界部において、ベースシート１２の幅が急変する（例えば、両者の境界部において、ベースシート１２の横方向の両端辺縁部に段差ができる）ように形成してもよい。
【００３８】
また、本実施形態では、一対の第２ファスナー部１６Ａ，１６Ｂによって、ベース基部１２Ａの横方向の両端辺縁部の、最下層部同士及び最上層部同士をそれぞれ止着するよう
に構成されているが、最下層部同士または最上層部同士の一方のみを止着するように構成してもよい。また、最下層部同士を止着する止着部材と、最上層部同士を止着する止着部材とを別個に設けてもよい。さらに、カバーシート１３やベース折畳み部１２Ｂの縦方向の長さについては、適宜変更することが可能である。例えば、カバーシート１３及びベース折畳み部１２Ｂの縦方向の長さを、ベース基部１２Ａの縦方向の長さと同等に形成してもよい。
【００３９】
次いで、第２実施形態に係る洗濯ネット１１０の構成について、図１１〜図１６を参照しながら説明する。図１１には、洗濯ネット１１０の前面（衣類等の洗濯物が載置される面）が紙面手前側を向くようにして洗濯ネット１１０を広げた状態で示している。
【００４０】
図１１に示す洗濯ネット１１０は、例えばポリエステル製のメッシュ生地により長方形状に形成され、周囲各辺縁部が縁取り布１１４により補強されたメッシュシート１１１を主体に構成されている。このメッシュシート１１１は、衣類等の洗濯物が載置される長方形状のベースシート１１２と、ベースシート１１２の図中上端側に縫着された長方形状のカバーシート１１３とを備えてなる。以下、ベースシート１１２の全領域を、図１１中上半分の領域と下半分の領域とに分け、上半分の領域をベース基部１１２Ａ、下半分の領域をベース折畳み部１１２Ｂと称して説明を進める。図１１中において、ベース基部１１２Ａとベース折畳み部１１２Ｂとの仮想境界線を２点鎖線で示す。
【００４１】
カバーシート１１３は、ベースシート１１２と比較して、縦方向の長さはベースシート１１２の略半分、横方向の長さはベースシート１１２と略同じに形成されており、ベース基部１１２Ａを覆うように、ベースシート１１２上に折り畳まれるようになっている（図１２を参照）。また、図１２に示すようにカバーシート１１３の後面基端側部には、図中下方に開口する袋状の保持ポケット１１５が縫着されており、この保持ポケット１１５の開口側辺縁部は縁取り布１１４により補強されている。
【００４２】
ベースシート１１２は、カバーシート１１３がベース基部１１２Ａを覆うように折り畳まれた状態（以下「カバーシート折り畳み状態」と称する）において、下端側から上端側へ１回折り返されるように構成されている。この折り返しは、ベース基部１１２Ａとベース折畳み部１１２Ｂとの境界部を折り位置として行われる。すなわち、カバーシート折り畳み状態（図１２を参照）において、ベース折畳み部１１２Ｂが、折り畳まれたカバーシート１１３に重ねられるように、ベース基部１１２Ａとベース折畳み部１１２Ｂとの境界部を折り位置として、ベース基部１１２Ａ上に折り返される（折り畳まれる）ようになっている（図１３を参照）。また、図１５に示すように、ベース折畳み部１１２Ｂが折り返される際に、ベース折畳み部１１２Ｂの先端側部が保持ポケット１１５内に差し入れられ、これにより、カバーシート１１３とベース折畳み部１１２Ｂとが、互いに重ねられた状態で保持されるようになっている。
【００４３】
図１１に示すようにベース基部１１２Ａの横方向の両端辺縁部には、一対のファスナー部１１６Ａ，１１６Ｂが設けられている。カバーシート１１３及びベース折畳み部１１２Ｂが互いに重なるように折り畳まれた状態（以下「ベース折畳み部折り畳み状態」と称する、図１３を参照）において、ベース折畳み部１１２Ｂ（およびカバーシート１１３）を包むようにメッシュシート１１１を横方向に丸め、一対のファスナー部１１６Ａ，１１６Ｂを互いに結合することにより、ベース基部１１２Ａの横方向の両端辺縁部同士を止着し、これにより、図１４に示すように洗濯ネット１１０をコンパクトに折り畳まれた状態（以下「折畳み完了状態」と称する）に保持することが可能となっている。
【００４４】
図１６に示すように、折畳み完了状態にあるときの洗濯ネット１１０は偏平な筒形状をなし、その内側には空間部ＳＰ１１が形成される。この空間部ＳＰ１１は、洗濯時に水流
の通路となり、洗濯ネット１１０に収納された衣類等の洗濯物の洗濯時の汚れ落ちを良くすることに寄与する。
【００４５】
次に、図１７を追加参照して、洗濯ネット１１０に衣類（ここでは半袖のワイシャツＷＳ１１を例示する）を収納する際の手順について説明する。
【００４６】
（Ｂ１）洗濯ネット１１０を広げ、ベースシート１１２上にワイシャツＷＳ１１を、前釦を止めて広げた状態（ここではワイシャツＷＳ１１の襟側がカバーシート１１３側となるようにしている）で載置する。
【００４７】
（Ｂ２）カバーシート１１３を、ワイシャツＷＳ１１の略上半分の部分に重ねる（ベースシート１１２とカバーシート１１３とでワイシャツＷＳ１１を挟む）ようにして、ベース基部１１２Ａ上に折り畳む。その後、ワイシャツＷＳ１１の両袖をカバーシート１１３上に折り畳む（これにより、洗濯時にワイシャツＷＳ１１が洗濯ネット１１０内でずれ難くなる）。なお、ワイシャツＷＳ１１の身頃部分の幅がベースシート１１２の横方向の寸法よりも長かったり、ワイシャツＷＳ１１の丈がベースシート１１２の縦方向の寸法よりも長かったりして、ワイシャツＷＳ１１の身頃部分や裾部分がベースシート１１２からはみ出る場合には、はみ出した部分を内側に折り畳むようにする。
【００４８】
（Ｂ３）ベースシート１１２のベース折畳み部１１２ＢをワイシャツＷＳ１１の略下半部の部分と一緒に、折り畳まれたカバーシート１１３上に折り畳む。またその際に、ベース折畳み部１１２Ｂの先端側部を保持ポケット１１５内に差し入れる。
【００４９】
（Ｂ４）ワイシャツＷＳ１１を内包した洗濯ネット１１０を折畳み完了状態に整える。すなわち、上記（Ｂ３）の状態から、ベース折畳み部１１２Ｂ（およびカバーシート１１３）を包むようにメッシュシート１１１をワイシャツＷＳ１１と共に横方向に丸め、一対のファスナー部１１６Ａ，１１６Ｂを互いに結合して、ベース基部１１２Ａの横方向の両端辺縁部同士を止着する。ワイシャツＷＳ１１を収納した状態で折畳み完了状態にされた洗濯ネット１１０は、そのまま洗濯機に入れて洗濯することができる。
【００５０】
以上のように構成されて使用される洗濯ネット１１０によれば、ワイシャツＷＳ１１と一緒にメッシュシート１１１を折り畳みながら、ワイシャツＷＳ１１を収納することができるので、ワイシャツＷＳ１１を洗濯ネット１１０内へ収納し易く、洗濯してもワイシャツＷＳ１１が皺になり難い。また、折畳み完了状態とされた洗濯ネット１１０はコンパクトなサイズとなるため嵩張らず、そのため洗濯機内で他の洗濯物と絡まり難い。さらに、折畳み完了状態にあるときに洗濯ネット１１０の内側に形成される空間部ＳＰ１１（図１６を参照）により、洗濯時の水流がワイシャツＷＳ１１に触れ易くなるので、洗濯時の汚れ落ちも良くなる。また、ベース折畳み部１１２Ｂが折り畳まれる際に、ベース折畳み部１１２Ｂの先端側部が保持ポケット１１５内に差し入れられることによって、カバーシート１１３とベース折畳み部１１２Ｂとが互いに重ねられた状態で保持されるので、洗濯時に洗濯ネット１１０の折り畳み状態が崩れてワイシャツＷＳ１１が外に飛び出てしまうことを抑制し得るようになっている。
【００５１】
なお、本実施形態では、保持ポケット１１５によって、カバーシート１１３とベース折畳み部１１２Ｂとが互いに重ねられた状態で保持するようにしているが、カバーシート１１３側とベース折畳み部１１２Ｂ側とに一対のファスナーやスナップボタン、結び紐等（複数組設けてもよい）を保持部材として設け、これらにより両者１１３，１１２Ｂを互いに止着することによって、両者１１３，１１２Ｂが互いに重ねられた状態で保持するようにしてもよい。また、本実施形態では、ベース基部１１２Ａの横方向の両端辺縁部に設けた一対のファスナー部１１６Ａ，１１６Ｂにより、両端辺縁部同士を止着するようにして
いるが、両端辺縁部に一対のスナップボタンや結び紐等（複数組設けてもよい）を止着部として設け、これらにより両端辺縁部同士を止着するようにしてもよい。
【００５２】
以上、本発明の実施形態について説明したが、本発明の範囲は上述の実施形態に限定されるものではない。例えば、上述の第１実施形態では、カバーシート折り畳み状態において、ベースシート１２が下端側から上端側へ２回折り返されるように構成されており、第２実施形態では、カバーシート折り畳み状態において、ベースシート１１２が下端側から上端側へ１回折り返されるように構成されているが、ベースシートを折り返す回数（Ｎ回とする）は適宜設定する（例えば、Ｎは１以上の任意の整数とする）ことが可能である。折り返す回数が増える程、洗濯ネットをコンパクトに折り畳むことができるが、その分、洗濯ネットに収納する衣類等の洗濯物が小さく折り畳まれることになるので、汚れ落ちし難くなったり、洗濯物を収納する際の手順が増えたりする。したがって、折り返す回数は、例えば、１回から３回の範囲内で設定することが好ましい。また、上述の実施形態では、洗濯ネットに収納する衣類としてワイシャツを例にとって説明したが、本発明の洗濯ネットは、ワイシャツ以外の衣類（例えば、ズボンやスカート等）や、衣類以外の洗濯物を収納して洗濯する場合にも用いることが可能である。
【００５３】
（付記１）
前記ベース部は、当該ベース部の、前記縦方向の一端側から他端側に向かって、横方向の長さが徐々に短くなるように形成されている。
（付記２）
前記第１折畳み部は、当該第１折畳み部の横方向の長さが、前記ベース部の横方向の長さよりも短く形成されている。
（付記３）
前記第１折畳み部は、当該第１折畳み部の、前記縦方向の基端側から先端側に向かって、横方向の長さが徐々に短くなるように形成されている。
【符号の説明】
【００５４】
１０，１１０    洗濯ネット
１１，１１１    メッシュシート
１２，１１２    ベースシート
１２Ａ，１１２Ａ    ベース基部
１２Ａａ    ベース基部第１領域
１２Ａｂ    ベース基部第２領域
１２Ｂ，１１２Ｂ    ベース折畳み部
１３，１１３    カバーシート
１５Ａ，１５Ｂ    第１ファスナー部
１６Ａ，１６Ｂ    第２ファスナー部
１１５    保持ポケット
１１６Ａ，１１６Ｂ    ファスナー部
ＳＰ１，ＳＰ１１    空間部
ＷＳ１，ＷＳ１１    ワイシャツ
【図１】
2018148996.tif 000003
【図２】
2018148996.tif 000004
【図３】
2018148996.tif 000005
【図４】
2018148996.tif 000006
【図５】
2018148996.tif 000007
【図６】
2018148996.tif 000008
【図７】
2018148996.tif 000009
【図８】
2018148996.tif 000010
【図９】
2018148996.tif 000011
【図１０】
2018148996.tif 000012
【図１１】
2018148996.tif 000013
【図１２】
2018148996.tif 000014
【図１３】
2018148996.tif 000015
【図１４】
2018148996.tif 000016
【図１５】
2018148996.tif 000017
【図１６】
2018148996.tif 000018
【図１７】
2018148996.tif 000019